(57)【要約】      （修正有）【課題】傾斜棚、高所にも受けられる収納棚等に使用されるスライドレールに関するもので、全閉状態でロックを解除した時の移動側レールの当初の飛び出しをなくすだけでなく、引出し時に加速することもなく、最後まで移動側レールが自動的引出されるスライドレールを提供する。【解決手段】移動側レール２の引出し方向への走行時には、走行位置に関わらず一定の抵抗を付加し、移動側レール２の収納方向への走行時には、前記抵抗を解除する走行制御装置８０を移動側レール２と固定側レール１間に設ける。【選択図】図１
2008100012.tif 000002
【特許請求の範囲】
【請求項１】
移動側レールの引出し方向への走行時には、走行位置に関わらず一定の抵抗を付加し、移動側レールの収納方向への走行時には、前記抵抗を解除する走行制御装置を移動側レールと固定側レール間に設けたことを特徴とするスライドレール。
【請求項２】
走行制御装置は、移動側レールの走行方向に渡って移動側レールに配設されるラック部材と、固定側レールに設けられる制御部材よりなり、制御部材は、移動側レールの引出し方向への走行時にはラック部材に直接的あるいは間接的に噛み合って一定の抵抗が付加されながら回転するピニオンを有する一方向性のロータリーダンパーが組み込まれている事を特徴とする請求項１に記載のスライドレール。
【請求項３】
走行制御装置は、移動側レールの走行方向に渡って移動側レールに配設されるラック部材と、固定側レールに設けられる制御部材よりなり、制御部材は、移動側レールの走行時にラック部材と噛み合う補助ピニオンと、移動側レールの引出し方向への走行時には補助ピニオンに噛み合って一定の抵抗が付加されながら回転し、移動側レールの収納方向への走行時には、補助ピニオンが離間し無回転となるピニオンを有する両方向性のロータリーダンパーが組み込まれている事を特徴とする請求項１に記載のスライドレール。
【発明の詳細な説明】
【技術分野】
【０００１】
本発明は、傾斜棚、高所に設けられる収納棚等に使用されるスライドレールに関するものである。
【背景技術】
【０００２】
従来、一般的なスライドレールは、引出し方向への移動側レールの走行を極力軽くする方向で工夫がなされてきた。
従って、傾斜棚等（前下がりとなった棚、あるいは引出し）に、従来のスライドレールを使用すると、ロック機構で全閉状態に維持された傾斜棚等のロック状態を解除すると、重量によって、引出し方向（開方向）に急激に動き出し、加速して、最大スペードで、全開時ストッパーに衝突して停止する。このため、衝突の衝撃によって、全開時ストッパーが破損したり、急激な飛び出しによって、作業者に危険をおよぼしたりすることがあった
。
【０００３】
これを防止する為、バネ部材の復元力によって、移動側レールが自動的に収納されるスライドレールを傾斜棚等に使用する事があった。（例えば特許文献１参照。）
この場合、バネ部材を使用しているので、移動側レールの引出し量が多くなればなるほどバネ部材の復元力が大きくなるので、全閉状態でロックを解除した時の移動側レールの当初の飛び出しをなくそうとすると、移動側レールが自動的に引出されず、移動側レールが最後まで自動的に引出されるようにすると、ロックを解除したときの引出し等の飛び出しを防ぐことができなかった。
【０００４】
【特許文献１】実公平４−９８６０号公報
【発明の開示】
【発明が解決しようとする課題】
【０００５】
本発明は、全閉状態でロックを解除した時の移動側レールの当初の飛び出しをなくすだけでなく、引出し時に加速することもなく、最後まで移動側レールが自動的引出されるスライドレールを提供することを課題とする。
【課題を解決するための手段】
【０００６】
そこで、上記課題を解決する為、本発明が第１の手段として構成したところは、移動側レールの引出し方向への走行時には、走行位置に関わらず一定の抵抗を付加し、移動側レールの収納方向への走行時には、前記抵抗を解除する走行制御装置を移動側レールと固定側レール間に設けたものである。
【０００７】
次に、本発明が第２の手段として構成したところは、第１の手段として構成したところに加え、走行制御装置は、移動側レールの走行方向に渡って移動側レールに配設されるラック部材と、固定側レールに設けられる制御部材よりなり、制御部材は、移動側レールの引出し方向への走行時にはラック部材に直接的あるいは間接的に噛み合って一定の抵抗が付加されながら回転するピニオンを有する一方向性のロータリーダンパーが組み込まれているものである。
【０００８】
次に、本発明が第３の手段として構成したところは、第１の手段として構成したところに加え、走行制御装置は、移動側レールの走行方向に渡って移動側レールに配設されるラック部材と、固定側レールに設けられる制御部材よりなり、制御部材は、移動側レールの走行時にラック部材と噛み合う補助ピニオンと、移動側レールの引出し方向への走行時には補助ピニオンに噛み合って一定の抵抗が付加されながら回転し、移動側レールの収納方向への走行時には、補助ピニオンが離間し無回転となるピニオンを有する両方向性のロータリーダンパーが組み込まれているものである。
【発明の効果】
【０００９】
請求項１に記載の発明によると、移動側レールの引出し方向への走行時には、走行位置に関わらず一定の抵抗としているので、移動側レールの当初の飛び出し、及び走行時の加速がなく、自動的に最後まで引出され、移動側レールの収納方向への走行時には、前記抵抗を解除するので、移動側レールの収納方向の走行に支障をきたすことはない。
請求項２に記載の発明によると、前記効果に加え、ラック部材と制御部材よりなる構成であるので、部材管理が容易で、走行制御装置の組み立てが容易で、既存のスライドレールにも簡単に走行制御装置を取付けることができる。
請求項３に記載の発明によると、第２の手段として構成したところの効果に加え、制御部材は、補助ピニオンをピニオンと離間したり、ピニオンに噛み合ったりする構成としているので、安価な両方向性のロータリーダンパーを使用できる。
【発明を実施するための最良の形態】
【００１０】
本発明は、移動側レールの引出し方向への走行時には、走行位置に関わらず一定の抵抗を付加し、移動側レールの収納方向への走行時には、前記抵抗を解除する走行制御装置を移動側レールと固定側レール間に設けたスライドレールにおいて、走行制御装置は、移動側レールの走行方向に渡って移動側レールに配設されるラック部材と、固定側レールに設けられる制御部材よりなり、制御部材は、移動側レールの走行時にラック部材と噛み合う補助ピニオンと、移動側レールの引出し方向への走行時には補助ピニオンに噛み合って一定の抵抗が付加されながら回転し、移動側レールの収納方向への走行時には、補助ピニオンが離間し無回転となるピニオンを有する両方向性のロータリーダンパーが組み込まれているものである。
【実施例】
【００１１】
以下、添付図面に基づいて実施例を説明する。
図１、図２において、符号１は固定側レールを示し、符号２は移動側レールを示し、符号３は中間レールを示し、符号４は固定側レール１のボール保持板を示し、符号６は移動側レール２のボール保持板を示し、符号８０はスライドレール１００の走行制御装置を示している。そして、図１において左側斜め下方向を引出し側、右側斜め上方向を収納側とし、引出し側、収納側の両方向を走行方向として説明する。
【００１２】
固定側レール１は、金属製の細長条板の短手両端部を内向き円弧状に折り曲げた内面長手方向にボール案内溝を有する上下の両折曲縁１１、１１と、家具等の本体側と連結される固定側レール基板１２より断面略Ｃ字形に形成されている。
そして、固定側レール基板１２の収納側端部を移動側レール２方向に折り曲げて固定側収納時ストッパー１３が形成され、固定側レール１の基板１２の引出し側端部を移動側レール２方向に折り曲げて固定側移動時ストッパー（図示せず）が形成されている。
【００１３】
中間レール３は、上記固定側レール１に挿入可能な大きさで固定側レール１よりやや短い長さの固定側基板３１と、固定側基板３１の上下端部を外向き円弧状に折り曲げた上下の両折曲縁３２、３２よりなる断面略Ｃ字形の固定側中間レール３０と、上記移動側レール２に挿入可能な大きさで固定側レール１よりやや短い長さの移動側基板３１１と、移動側基板３１１の上下端部を内向き円弧状に折り曲げた上下の両折曲縁３２２、３２２よりなる断面略Ｃ字形の移動側中間レール３００よりなり、固定側基板３１の後端部が移動側基板３１１の後端部より収納側に突出するようずらして背中合わせに固着した断面略Ｉ字形に構成されている。
【００１４】
そして、スライドレール１００の最大伸長時、ボール保持板４の収納側端面に緩衝部材を介して当接し、スライドレール１００の最短収縮時、固定側収納時ストッパー１３の内面に緩衝部材を介して当接する中間レール収納時ストッパー３５が、固定側中間レール３０の固定側基板３１の収納側端部に、固定側レール１側に突出して形成されている。
又、スライドレール１００の最大伸長時、移動側レール２のボール保持板６の引出し側端面が緩衝部材を介して当接するボール保持板引出し時ストッパー（図示せず。）が、中間レール３の移動側基板３１１の移動側端部に、移動側レール２側に突出して形成されている。
【００１５】
ボール保持板４、６は対向した同形で、帯条金属板にて固定側レール１、移動側レール２及び、中間レール３との間に挿入可能な大きさで、かつ、両レール１、２の半分以下の長さで、基板４１、６１と上下の折曲片４２、４２、６２、６２からなり、基板４１、６１は中央部をコ字形に折り曲げ、そして、上下の両折曲片４２、４２、６２、６２の摺動方向の数箇所に複数個のボール４０・・・を回転自在に保持している。
【００１６】
移動側レール２は、固定側レール１と対向した断面同形で、ほぼ同長に形成され、金属製の細長条板の短手両端部を内向き円弧状に折り曲げて形成された内面長手方向にボール案内溝を有する上下の両折曲縁２１、２１と、移動側レール基板２２より、断面略Ｃ字形に形成されている。
【００１７】
そして、移動側レール基板２２の引出し側端部を固定側レール１方向に折り曲げて形成された移動側収納時ストッパー２３と、移動側レール基板２２の収納側端部の一部を固定側レール１方向に突出させて形成された移動側移動時ストッパー２４を有している。
【００１８】
実施例のスライドレール１００は上記の如く構成され、スライドレール１００の最大伸長時には、移動側レール２の移動側移動時ストッパー２４にボール保持板６の収納側端面に当接し、ボール保持板６の引出し側端面は緩衝部材を介して中間レール３のボール保持板引出し時ストッパー（図示せず。）に当接し、中間レール３の中間レール収納時ストッパー３５がボール保持板４の収納側端面に緩衝部材を介して当接し、ボール保持板４の引出し側端面が緩衝部材を介して固定側移動時ストッパー（図示せず。）に当接している。
【００１９】
一方、スライドレール１００の最短収縮状態では、中間レール３の収納側端部に形成された中間レール収納時ストッパー３５が緩衝部材を介して固定側レール１の収納側端部に形成された固定側収納時ストッパー１３に当接し、中間レール３のボール保持板引出し時ストッパー（図示せず。）の引出し側端面に移動側レール２の移動側収納時ストッパー２３が緩衝部材を介して当接して停止する。
【００２０】
走行制御置８０は、図１、図４、図５に示す如く、固定側レール１の引出し側端部に取付けられる制御部材８１と、移動側レール２の上折曲縁２１の上面に走行方向全幅に渡って配設されるラック部材８２より構成されている。
制御部材８１は、固定側レール１の基板１２の引出し側端部と連結された制御部材取付板１２０に連結される合成樹脂製の保持基板８３と、保持基板８３に連結される両方向性のロータリーダンパー８４（以後、ロータリーダンパーという。）と、保持基板８３と共に補助ピニオン８５を回転自在に保持する合成樹脂製のカバー体８６より構成されている。
【００２１】
保持基板８３は、移動側レール２側にロータリーダンパー８４の取付凹部８３１と、取付凹部８３１内で移動レール側に突出する補助ピニオン８５の基板側支持部８３２を有する基板部８３０と、基板部８３０の走行側両端部に連設された連結用突部８３３、８３３より合成樹脂材にて一体に形成されている。
そして、基板側支持部８３２には補助ピニオン８５を回転可能で走行方向に移動可能に支持する案内支持溝８３４が形成されている。
符号８３５・・・は制御部材取付板１２０との連結孔、符号８３６・・はカバー体８６
との連結孔、符号８３７・・・はカバー体８６の連結時の位置決め孔、８３８・・・は取付凹部８３１に形成されたロータリーダンパー８４の連結孔を示している。
【００２２】
ロータリーダンパー８４は、前記連結孔８３８、８３８に対応する取付孔８４１、８４１を有し、移動側レール２側に突出する回転中心軸（図示せず。）にはピニオン８４２が取付けられている。
補助ピニオン８５は、ピニオン８４２の略２倍弱の径で、中心部に前記案内支持溝８３４に回転可能で走行方向に移動自在に嵌合する基板側回動中心軸８５１と、基板側回動中心軸８５１の反対側に位置する基板側回動中心軸８５１と同形のカバー側回動中心軸８５２より、合成樹脂材にて一体に形成されている。
【００２３】
カバー体８６は、前記基板部８３０と対向した対称形で、前記の取付凹部８３１対向してカバー側取付凹部８６１が形成され、カバー側取付凹部８６１内で前記基板側支持部８３２に対向してカバー側支持部８６２が形成され、カバー側支持部８６２には案内支持溝８３４に対向して、補助ピニオン８５のカバー側回動中心軸８５２が回動自在で走行方向に移動可能に嵌合するカバ−側案内支持溝８６４が形成されている。      
符号８６６・・は連結孔８３６・・・に対応して設けられた保持基板８３との連結孔、符号８６７・・・は位置決め孔８３７・・・に対応して形成された嵌合突部を示している。
【００２４】
保持基板８３、ロータリダンパー８４、補助ピニオン８５、カバー体８６は上記のように形成され、ロータリーダンパー８４が取付けられた状態の保持基板８３の案内支持溝８３４に補助ピニオン８５の基板側回動中心軸８５１を嵌入し、この状態維持しながら、カバー体８６の嵌合突部８６７、８６７を保持基板８３の位置決め孔８３７、８３７に嵌合すると同時に、補助ピニオン８５のカバー側回動中心軸８５２をカバ−側案内支持溝８６４に嵌入し、連結孔８３６・・・８６６・・・を一致させ、保持基板８３側から連結ネジにて保持基板８３とカバー体８６を連結し制御部材８１を構成する。
【００２５】
尚、この状態で、図６、図７に示すように、補助ピニオン８５の下側の一部は保持基板８３及びカバー体８６の下端面より突出し、固定側レール１（制御部材取付板１２０）に連結された状態で、ラック部材８２と噛み合う。
ラック部材８２は、移動側レール２の移動側レール基板２２の外面側に連結された逆Ｌ字型のラック取付板２２０の上端突片２２１の上面に走行方向全幅にわたって配設されている。
【００２６】
走行制御装置８０は上記の如く構成されて、スライドレール１００に取付けられ傾斜棚等に使用される。
例えば、図３に示すように、前面が開口する傾斜棚本体９０の側板９１、９１の内面に前下がりの状態に配設され、左右の移動側レール２、２間に傾斜棚板９２が連結され、傾斜棚板９２の収納側端部と傾斜棚本体９０の奥部内面間に自動係止装置５０を取り付ける事で、傾斜棚板９２が傾斜棚本体９０に収納された状態が維持される。
そして、収納状態の傾斜棚板９２を収納方向に押しやると収納状態が解除され、傾斜棚板９２は、スライドレール１００、１００が前下がりの傾斜状態に収納されているので、引き出し方向に自走する。
この時、移動側レール２と固定側レール１間に走行制御装置８０が設けられているので、
傾斜棚板９２は急に前方に飛び出すことはない。
【００２７】
すなわち、図６に示すように、移動側レール２（ラック部材８２）が前方に移動すると、
ラック部材８２と噛み合う補助ピニオン８５は、基板側回動中心軸８５１とカバー側回動中心軸８５２が、案内支持溝８３４とカバ−側案内支持溝８６４に回転可能で走行方向に移動自在に嵌合しているので、引出し方向に一旦移動し、ロータリーダンパー８４のピニオン８４２とも噛み合う。（図６に示す状態。）
これによって、補助ピニオン８５は緩慢な回転に制御され、したがって、補助ピニオン８５と噛み合うラック部材８２の引出し方向への移動も緩やかとなり、傾斜棚板９２は使用者に危険が及ばない穏やかなスピードで引出し方向へ自走し、移動側レール２が固定側レ−ル１に対し最大伸長状態となり停止する。
【００２８】
次に  傾斜棚板９２が最も引出された状態から、収納方向に移動させると、ラック部材８２と噛み合う補助ピニオン８５は一旦収納方向に移動し、ロータリーダンパー８４のピニオン８４２から、補助ピニオン８５は離間し、ピニオン８４２は無回転となり、補助ピニオン８５は無抵抗で回転し、したがって、ラック部材８２（移動側レール２）もロータリーダンパー８４とは無関係に収納方向に移動し（図７に示す状態。）、やがて、プッシュラッチ装置９３によって、傾斜棚板９２（移動側レール２）はは収納状態が維持される。
尚、実施例では、両方向性のロータリーダンパー８４（小型で安価）を使用しているので、補助ピニオンが必要であるが、一方向性のロータリーダンパーを使用し、ロータリーダンパーのピニオンがラック部材８２と直接噛み合うようにしても良い。
【図面の簡単な説明】
【００２９】
【図１】本発明のスライドレールの斜視図
【図２】図１のスライドレールの要部断面図
【図３】本発明のスライドレールを傾斜棚に使用した状態の斜視図
【図４】制御部材の分解斜視図
【図５】制御部材の裏面側からの分解斜視図
【図６】移動側レールが引出し方向に移動（自走）する時の説明図
【図７】移動側レールが収納方向に移動する時の説明
【符号の説明】
【００３０】
１              固定側レール
１００          スライドレール
２              移動側レール
３              中間レール
８              走行制御装置
８１            制御部材
８２            ラック部材
８３            保持基板
８４            ロータリーダンパー
８４２          ピニオン
８５            補助ピニオン
【図１】
2008100012.tif 000003
【図２】
2008100012.tif 000004
【図３】
2008100012.tif 000005
【図４】
2008100012.tif 000006
【図５】
2008100012.tif 000007
【図６】
2008100012.tif 000008
【図７】
2008100012.tif 000009